(57)【要約】【課題】再利用が可能で、多種の機能に対応することができると共に、収納時においても収納スペースを特別に確保する必要のない多機能設置物を提供する。【解決手段】台座４に第１設置物本体２と第２設置物本体３を積み上げて固定することで収納棚或いはベッドとして機能させ、又各設置物本体２，３を立設させ、扉９ａ，９ｂを前面に配設すると共に扉９ａ、９ｂの対向面を壁面等に当接させることでブースとして機能させる。【選択図】図４
2010252982.tif 000002
【特許請求の範囲】
【請求項１】
直方体状に枠組みされたフレームと、
前記フレームの一側面に設けられた扉と、
前記フレームの前記扉に直交する側面に設けられた軽量ボードと、
前記フレームの前記軽量ボードに対峙する側面に設けられた仕切りボードと
を備える設置物本体を有し、
前記設置物本体は、前記仕切りボードを底面に配設し、前記扉を背面に配設することで収納棚或いはベッドとして機能させ、又前記扉を前面とし前記両ボードを側面とし、且つ前記扉に対峙する面を、壁面に当接することでブースとして機能させる
ことを特徴とする多機能設置物。
【請求項２】
前記設置物本体が収納棚或いはベッドとして機能する場合、前記設置物本体の底面を、上面に前記仕切りボードに面当接する他の軽量ボードが設けられている台座に載置させる
ことを特徴とする請求項１記載の多機能設置物。
【請求項３】
前記設置物本体が収納棚或いはベッドとして機能する場合、少なくとも２つの該設置物本体を積み上げて固設する
ことを特徴とする請求項１或いは２記載の多機能設置物。
【請求項４】
前記軽量ボードはハニカムボードである
ことを特徴とする請求項１〜３の何れか１項に記載の多機能設置物。
【請求項５】
前記フレームの前記扉と前記各ボードで閉塞された３つの面に直交する側面に他の仕切りボードが設けられ、
前記仕切ボードと前記他の仕切ボードとが採光性を有する中空ボードで形成されている
ことを特徴とする請求項１〜４の何れか１項に記載の多機能設置物。
【発明の詳細な説明】
【技術分野】
【０００１】
本発明は、1つの設置物本体を収納棚、ベッド、或いはブースとして機能させることのできる多機能設置物に関する。
【背景技術】
【０００２】
大地震等の災害が発生し、電気、ガス、水道等のライフラインがストップした場合、復旧までに相当の時間を要する。各自治体等では、大地震等の災害発生直後の３日間は自力で対応できるよう、最低３日分の食糧、燃料、飲料水の備蓄を求めている。この場合、飲料水は一人あたり１日３リットル必要とされ、３日分で９リットルの備蓄が必要となる。
【０００３】
そのため、多くの自治体や企業では、食糧、生活必需品、医薬品等の防災用品を倉庫に備蓄している場合が多い。この防災用品として、例えば特許文献１（２００８−１２６０２１号公報）には、災害備蓄セットに、平板状に積み重ねられた段ボールセットが組み込まれている技術が開示されている。この段ボールセットは、それを組み立てることで、簡易テント、簡易更衣室、簡易ベッド等を完成させることができるものである。
【０００４】
この段ボールセットには、道具を用いることなく、手で切り離したり折り曲げができるように、ミシン目、及び曲げ線が形成されており、段ボールセットの各段ボールをミシン目に沿って切り離し、或いは、曲げ線に沿って折り曲げた後、これらを組み立てることで、簡易テントなど予め決められている形状のものを完成させることができる。
【発明の概要】
【発明が解決しようとする課題】
【０００５】
上述した文献によれば、このような段ボールセットを備蓄しておくことで、災害発生時からライフラインが復旧するまでの間、被災者や支援者が必要とする簡易更衣室、簡易ベッド等を、迅速に提供することが可能となる。
【０００６】
しかし、このような段ボールセットは、通常の防災用品と共に倉庫に収納することとなるため、収納スペースを特別に確保する必要がある。又、段ボールは水に弱く、一旦濡れてしまった場合、強度が著しく低下するので、屋外で使用できない不都合がある。
【０００７】
更に、段ボールセットを用いて形成した簡易更衣室、簡易ベッドは再利用することができないため、不要となったときには廃棄されることとなる。しかし、被災地においては大量の災害ゴミ（災害後に出される不要物）が発生するため、新たなゴミの発生は極力抑制することが肝要であり、不要となった段ボールは大量ゴミの発生原因となってしまう問題がある。
【０００８】
この対策として、更衣室やベッドをスチール製とし、災害時に組み立てて使用できるようにすることも考えられるが、備蓄倉庫には多量の防災用品が備蓄されているため、各部品に分解された状態の更衣室やベッドを収納しておくスペースを確保することが難しいと云う問題がある。
【０００９】
本発明は、上記事情に鑑み、再利用が可能で、多種の機能に対応することができると共に、収納時においても収納スペースを特別に確保する必要がなく、使い勝手の良い多機能設置物を提供することを目的とする。
【課題を解決するための手段】
【００１０】
上記目的を達成するため本発明による多機能設置物は、直方体状に枠組みされたフレームと、前記フレームの一側面に設けられた扉と、前記フレームの前記扉に直交する側面に設けられた軽量ボードと、前記フレームの前記軽量ボードに対峙する側面に設けられた仕切りボードとを備える設置物本体を有し、前記設置物本体は、前記仕切りボードを底面に配設し、前記扉を背面に配設することで収納棚或いはベッドとして機能させ、又前記扉を前面とし前記両ボードを側面とし、且つ前記扉に対峙する面を、壁面に当接することでブースとして機能させることを特徴とする。
【発明の効果】
【００１１】
本発明によれば、設置物本体を、仕切りブースを底面にして設置することで、収納棚やベッドとして機能させ、又設置物本体を立設して扉を前面に設け、背面を立設物等の壁面に当接させることでブースとして機能させることができる等、多種の機能に対応することができるので、使い勝手が良い。又、収納時においても収納スペースを特別に確保する必要がなく便利である。更に、フレーム構造であるため再利用可能であり経済的である。
【図面の簡単な説明】
【００１２】
【図１】多機能設置物を収納している状態の斜視図
【図２】図１の分解斜視図
【図３】多機能設置物を簡易ベッドとして機能させた状態の斜視図
【図４】多機能設置物を収納棚として機能させた状態の斜視図
【図５】第１設置物本体の分解斜視図
【図６】第２設置物本体の分解斜視図
【図７】第１設置物本体と第２設置物本体との斜視図
【図８】設置物本体を仮設ブースとして機能させた状態の斜視図
【発明を実施するための形態】
【００１３】
以下、図面に基づいて本発明の一実施形態を説明する。図１〜図３には多機能設置物１を収納している状態が示されている。同図に示すように、本実施形態による多機能設置物１は、一対の設置物本体２，３と、１つの台座４とで構成されている。本実施形態では、台座４の高さを１６０[mm]、各設置物本体２，３の高さを８００[mm]としており、これらを重ねることで全体の高さが１７６０[mm}となる。
【００１４】
従って、防災備蓄倉庫２１の室内高さが、２ｍ程度であれば、図３に示すように、多機能設置物１を防災備蓄倉庫２１に設置することで、各設置物本体２，３を、防災用品２２を収納する収納棚として機能させることができる。尚、室内の高さが、おおよそ2.8ｍ程度あれば、設置物本体２を設置物本体３の上にもう１つ積み上げて固定することで、収納棚を４段とすることができる。
【００１５】
図２に示すように、各設置物本体２，３、台座４の四隅には、ボルト孔５が穿設されており、この各ボルト孔５を介して、台座４と第１設置物本体２、及び第１設置物本体２と第２設置物本体３とが各々ボルト止めされている。又、図示しないが、この台座４の底面側の四隅にもボルト孔５が穿設されている。使用するボルトは蝶ボルトが好ましい。作業者は蝶ボルトをボルト孔５に挿通し、背面から突出したねじ部にナットを螺入し、ねじ止めする。ボルトとして蝶ボルトを用いることで、作業者は工具を用いることなく、各部材２，３，４間を、簡単に締結或いは解離することができる。
【００１６】
図２に示すように、台座４はアングル材（Ｌ鋼）を溶接して直方体状に枠組みされたフレーム４ａを有し、このフレーム４ａの上面に軽量ボード６が固定されている。本実施形態では、軽量ボード６として、耐圧縮性を有し、しかも曲げ強度に強いハニカムボードを採用している。本実施形態で採用するハニカムボードは、ハニカム状に形成された樹脂材料或いはアルミニュウム材料等からなる芯材の両面を、樹脂製シート、アルミニュウム製シート、或いは所定に表面処理の施された耐水性シートで挟んで形成したものであり、耐水牲に優れた特性を有している。尚、台座４は、本実施形態では、高さ（Ｈｂ）が１６０[mm]、幅（Ｗ）が１８００[mm]、奥行き（Ｄ）が８００[mm]のサイズに設定されている。
【００１７】
この台座４上に連結される各設置物本体２，３の幅（Ｗ）、奥行き（Ｄ）は、台座４のサイズと同じであり、高さ（Ｈ１，Ｈ２）が８００[mm]に設定されている。尚、これらのサイズは一例であり、各設置物本体２，３、台座４は、他のサイズで形成されていても良い。
【００１８】
又、図５、図６に示すように、各設置物本体２，３は立設させることができる。この各設置物本体２，３は、アングル材（Ｌ鋼）を溶接して直方体状に枠組みされたフレーム７を有している。各設置物本体２，３のサイズは、フレーム７のサイズとほぼ同じであり、このフレーム７は、上述したように幅（図２のＨ１，Ｈ２）及び奥行き（図２のＤ）が８００[mm]、高さ（図２のＷ）が１８００[mm]を有している。
【００１９】
このフレーム７の上面に、他の仕切りボードとしての天板８が固定されている。この天板８は、太陽光等の外光、蛍光灯等の室内光が天板８を透過して内部に採光できるが、外部からは内部を見ることのできない光透過率を有する樹脂ボードで形成されている。具体的には、この樹脂ボードとして、本実施形態では、採光性を有する樹脂製中空ボードの代表である乳白色のダンプラ（プラスチックダンボール）ボードを採用している。ダンプラボードは、軽量で、しかも耐久性、耐水性に優れていると共に、適度な機械的強度を有している。但し、天板８は、上述したような採光性を有する樹脂ボードであれば、ダンプラボード以外であっても良い。
【００２０】
又、この各設置物本体２，３のフレーム７の一側面である正面に、第１設置物本体２では左開き扉９ａが取付けられ、第２設置物本体３では右開き扉９ｂが取付けられている。従って、第１設置物本体２と第２設置物本体３とでは、扉９ａ，９ｂの開き方向が対称となる。
【００２１】
この扉９ａ，９ｂとして本実施形態では、上述した天板８と同じダンプラを採用している。但し、扉９ａ，９ｂとして採用するダンプラは、遮光性を有していると共に、外周はアルミフレーム枠（図示せず）で保持されているため撓み難い構造となっている。尚、この扉９ａ，９ｂはハニカムボードで形成されていても良い。
【００２２】
更に、各扉９ａ，９ｂの開き側に取っ手１０が取付けられている。又、図示しないが各扉９ａ，９ｂの開き側の内面に内鍵が設けられており、この内鍵をフレーム７に掛止させる構造とすることで、扉９ａ，９ｂを内側から施錠、及び解錠することができる。尚、取っ手１０と内鍵とが一体構造であっても良い。
【００２３】
更に、各設置物本体２，３のフレーム７の扉９ａ，９ｂの開き側に直交する側面に、仕切りボードとしての採光ボード１１が取付けられている。この採光ボード１１は、太陽光等の外光、蛍光灯等の室内光を内部に取り込めるような採光性を有する樹脂ボードで形成されている。具体的には、この樹脂ボードとして、本実施形態では、上述した天板８と同様、採光性を有する樹脂製中空ボードの代表である乳白色のダンプラボードを採用している。但し、採光ボード１１は、軽量、且つ耐水性、且つ適度な強度を有しているものであれば、ダンプラボード以外のものであっても良い。
【００２４】
又、各設置物本体２，３のフレーム７の扉９ａ，９ｂの回転支持側に直交する側面、すなわち、採光ボード１１に対峙する側面に、軽量ボード１２が取付けられている。この軽量ボード１２は、台座４に固設されている軽量ボード６と同じハニカムボードが採用されている。
【００２５】
このように、各設置物本体２，３は、天井、前面、左右側面が閉塞され、底面及び背面が開放された構造を有している（図５、図６参照）。
【００２６】
次に、このような構成からなる多機能設置物１の設置態様について説明する。この多機能設置物１を、防災用品２２と共に防災備蓄倉庫２１に収納する場合、先ず、図２に示すように、防災備蓄倉庫２１内において、台座４の上面に第１設置物本体２を載置し、この第１設置物本体２の上面に第２設置物本体３を積み上げて固設する。その際、第１設置物本体２は、扉９ａ側を背面に設置すると共に、採光ボード１１を台座４の上面に対向させる。
【００２７】
そして、第１設置物本体２の採光ボード１１が取付けられている側のフレーム７の四隅に穿設されているボルト孔５に蝶ボルトを挿通し、台座４に穿設されているボルト孔５から下方に突出したねじ部にナットを螺入し、蝶ボルトとナットとを締結することで台座４に第１設置物本体２を固定する。
【００２８】
すると、第１設置物本体２の背面開口が前面側に配設され、又、軽量ボード１２が上面に指向される。又、第２設置物本体３は、第１設置物本体２の上面に面している軽量ボード１２に対して、採光ボード１１を対向させると共に、扉９ｂ側を背面に設置する。そして、第２設置物本体３の採光ボード１１側のフレーム７の四隅に穿設されているボルト孔５に蝶ボルトを挿通し、第１設置物本体２の軽量ボード１２側のフレーム７の四隅に穿設されているボルト孔から下方に突出されているねじ部にナットを螺入し、蝶ボルトとナットを締結することで、第２設置物本体３を第１設置物本体２に固定する。
【００２９】
すると、図１に示すように、各設置物本体２，３の扉９ａ，９ｂが背面側になるため、この扉９ａ，９ｂを、図３に示すように、防災備蓄倉庫２１の壁面に対向させることで、多機能設置物１を収納棚として機能させることができる。この多機能設置物１を、防災備蓄倉庫２１内に収納棚として設置することで、新たな収納棚を設置することなく、防災用品２２を効率的に収納することができる。又、収納時においては、多機能設置物１を収納棚として利用しているため、災害時に必要となる仮設ブースを収納するためのスペースが不要となり、防災備蓄倉庫２１内の限られた空間を有効利用することができる。
【００３０】
又、図３の正面視右側の多機能設置物１に示すように、第１設置物本体２の上面に軽量ボード１２を配置し、この軽量ボード１２上に第２設置物本体３の採光ボード１１を対向させるようにしたので、各設置物本体２，３の扉９ａ，９ｂは開閉側、すなわち取っ手１０が設けられている側が下側となるため、各扉９ａ，９ｂの施錠が外れた場合であっても、各扉９ａ，９ｂが開放状態となることはない。
【００３１】
更に、各設置物本体２，３の下面となる採光ボード１１の外表面全体が、ハニカムボードからなる軽量ボード１２に面当接されているため強度的には充分であり、例えば、一人あたり１日３リットルの飲料水を含む、１０人×３日分の防災用品２２を１つの棚に問題なく収納することができる。
【００３２】
又、各設置物本体２，３は単独でも棚として機能させることができる。この各設置物本体２，３を単独で使用する場合は、採光ボード１１を床面に、直接或いは適当なシートを介して設置する。その結果、１つの設置物本体２或いは３で、二段の棚を確保することができる。
【００３３】
又、災害が発生した場合、収納棚として機能している多機能設置物１に収納されている防災用品２２を搬出すると、収納棚に空きができる。この空いた棚を、図４に示すように、被災者や支援者ための仮眠ベッドとして機能させることができる。上述したように、各設置物本体２，３の下側に配設されている採光ボード１１がダンプラボードであり、更に、この採光ボード１１の下面が軽量ボード１２で支持されているため、この収納棚を仮眠ベッドとして機能させても、強度的に問題はない。又、採光ボード１１がダンプラボードであるため、断熱性があり、しかも、ある程度の弾力性を有しているので、採光ボード１１上に薄い敷物を敷設するだけで、仮眠ベッドとして充分に機能させることができる。
【００３４】
一方、例えば防災備蓄倉庫２１を、被災者の情報本部として活用する等の理由から、多機能設置物１を移動させる必要がある場合、或いは防災備蓄倉庫２１を更衣室として使用したい場合、或いは屋外の仮設ブースが不足している場合は、台座４と第１設置物本体２と第２設置物本体３とを各々締結している蝶ボルトを及びナットを解離し、これらを分離させる。
【００３５】
そして、各設置物本体２，３を天板８が上面となるように立設させると共に、各設置物本体２，３の扉９ａ，９ｂを前面側に移動させる。すると、図７に示すように、各設置物本体２，３は、背面及び底面は開口されているが、上面及び左右側面及び前面が閉塞されている、自立型の仮設ブースとなる。この仮設ブース（立設して使用する第１設置物本体２、及び第２設置物本体３）は、背面が開口されているため、この背面を防災備蓄倉庫２１の壁面に当接させて固定する。又、この仮設ブースを屋外で使用する場合は、図８に示すように、塀等の立設物２３の壁面に背面側を当接させて固設する。
【００３６】
そして、この仮設ブースを、更衣ブースや備品格納ブースとして使用する。或いは、この仮設ブースに簡易トイレを設置すれば、簡易トイレブースとして機能させることができる。この場合、外部からの光が天板８及び一側面に設けた採光ボード１１を介してブース内に採光されるため、外部が明るい場合は内部に照明設備を増設する必要がなく、仮設ブースを設置した後、直ちに使用することができる。
【００３７】
この場合、図８に示すように、両設置物本体２，３を採光ボード１１が配設されている面を外側にした状態で連結させることができるため、ブース内への採光を充分に確保することができる。又、仮設ブース内に照明設備を増設した場合は、両設置物本体２，３を組み替えて、採光ボード１１側を対峙させ、その間にビニールシートやベニヤ板などの遮光部材を挟んで連結することで内部の光が側面から外部に漏れることが無くなる。
【００３８】
又、台座４は防災備蓄倉庫２１に残しておくことで、仮眠ベッドとして機能させることができると共に、休憩用ベンチとしても機能させることができる。
【００３９】
その後、ライフラインが復旧し、又仮設住宅等の居住スペースが確保された場合は、立てた状態で使用していた各設置物本体２，３を外し、図１に示すように、各設置物本体２，３を横にして、台座４上に組み付けることで、多機能設置物１を再び収納棚、或いは仮眠ベッドとして機能させることができる。
【００４０】
このように、本実施形態による多機能設置物１は、収納棚、仮眠ベッドとして機能させることができるばかりでなく、各設置物本体２，３を立設して使用することで仮設ブースとして機能させることができる等、多種の機能に対応することができるため、利用価値が高く、使い勝手が良い。又、廃棄することなく何度も再利用することができるため、ゴミの発生を抑制することができ、経済的である。更に、収納時においては収納棚として機能しているので、収納スペースを特別に確保する必要がなく、便利である。又、収納棚を別途購入する必要がないため、より経済的である。
【００４１】
尚、本実施形態では、多機能設置物１を防災備蓄用品として説明したが、用途はこれに限らず、例えば運動会、祭り等のイベント用品を収納する収納庫に収納棚として適用することができる。多機能設置物１をイベント用品を収納する収納棚として機能させることで、イベント時においては、各設置物本体２，３を更衣ブース等の仮設ブースとして利用することができる。
【符号の説明】
【００４２】
１…多機能設置物、
２…第１設置物本体、
３…第２設置物本体、
４…台座、
４ａ，７…フレーム、
６…軽量ボード、
８…天板、
９ａ，９ｂ…扉、
１１…採光ボード、
１２…軽量ボード、
２１…防災備蓄倉庫、
２３…立設物
【先行技術文献】
【特許文献】
【００４３】
【特許文献１】２００８−１２６０２１号公報
【図１】
2010252982.tif 000003
【図２】
2010252982.tif 000004
【図３】
2010252982.tif 000005
【図４】
2010252982.tif 000006
【図５】
2010252982.tif 000007
【図６】
2010252982.tif 000008
【図７】
2010252982.tif 000009
【図８】
2010252982.tif 000010